(57)【要約】【課題】２重入力の手間を軽減することができるようにする。【解決手段】電力の供給サービスに対する申込情報を管理する新増設工事システム１０と、配電に関する設計を行うための配電地図情報システム５０とを通信可能に接続する。新増設工事システム１０に入力された供給申込情報は、配電地図情報システム５０に送信され、配電地図情報システム５０が備える供給申込情報データベース５５１に登録される。配電地図情報システム５０では、供給申込情報データベース５５１に登録されている供給申込情報を一覧表示する。【選択図】  図１
2006155471.tif 000002
【特許請求の範囲】
【請求項１】
配電工事に係る設計を支援するシステムであって、
配電工事が必要となる事項に対する申込情報を管理する申込管理サーバと通信可能に接続し、
出力装置と、
前記申込管理サーバに入力された申込情報を前記申込管理サーバから受信する申込情報受信部と、
受信した前記申込情報を記憶する申込情報記憶部と、
前記申込情報記憶部に記憶されている前記申込情報を前記出力装置に一覧出力する申込情報出力部と、
を備えることを特徴とする配電設計支援システム。
【請求項２】
請求項１に記載の配電設計支援システムであって、
前記配電工事が必要となる事項には、新規配電設備の設置、配電設備の増設、配電設備の修理、支障移転の少なくとも何れかを含むこと、
を特徴とする配電設計支援システム。
【請求項３】
請求項１に記載の配電設計支援システムであって、
前記申込情報を特定するための申込特定情報と、前記申込管理サーバに入力された当該申込情報に対する変更とを前記申込管理サーバから受信する変更受信部と、
受信した前記申込特定情報により特定される前記申込情報を、受信した前記変更に応じて更新する申込情報更新部と、
を備えることを特徴とする配電設計支援システム。
【請求項４】
請求項１に記載の配電設計支援システムであって、
前記申込情報に対応して行われる配電工事の計画に関する工事計画情報を管理する工事管理サーバと通信可能に接続し、
前記工事管理サーバに入力された工事計画情報を前記工事管理サーバから受信する工事計画情報受信部と、
受信した前記工事計画情報を記憶する工事計画情報記憶部と、
前記工事計画情報記憶部に記憶されている前記工事計画情報を前記出力装置に一覧出力する工事計画情報出力部と、
を備えることを特徴とする配電設計支援システム。
【請求項５】
請求項４に記載の配電設計支援システムであって、
前記工事計画情報を特定するための工事計画特定情報と、前記工事管理サーバに入力された当該工事計画情報に対する変更とを前記工事管理サーバから受信する工事計画変更受信部と、
受信した前記工事計画特定情報により特定される前記工事計画情報を、受信した前記工事計画情報に対する変更に応じて更新する工事計画情報更新部と、
を備えることを特徴とする配電設計支援システム。
【請求項６】
請求項４に記載の配電設計支援システムであって、
前記申込情報を特定する申込特定情報と、当該申込情報に対応して行われる工事の計画に関する前記工事計画情報を特定する工事計画特定情報とを対応付けて記憶する工事計画原因情報記憶部と、
前記出力装置に一覧出力された前記工事計画情報のひとつを特定する工事計画特定情報の入力を受け付ける工事計画特定情報入力部と、を備え、
前記申込情報出力部は、前記工事計画特定情報入力部に入力された前記工事計画特定情報に対応する前記申込情報を前記申込情報記憶部から取り出し、取り出した前記申込情報を前記出力装置に一覧表示すること、
を特徴とする配電設計支援システム。
【請求項７】
配電工事に係る設計を支援するシステムであって、
電気の使用開始の申込を管理する使用管理サーバと、
修理の申込を管理する修理管理サーバと、
配電線路の移転の申込を管理する支障移転管理サーバと、
電気の使用開始、修理、及び移転のうち少なくとも何れかの申込に応じて行われる配電工事に係る設計を支援する配電設計支援装置、
を含んで構成され、
前記修理管理サーバ、前記使用管理サーバ、及び前記支障移転管理サーバの夫々は、前記配電設計支援装置と通信可能に接続し、
前記使用管理サーバは、
前記電気の使用開始の申込内容を示す使用申込情報の入力を受け付ける使用申込情報入力部と、
入力された前記使用申込情報を前記配電設計支援装置に送信する使用申込情報送信部と、を備え、
前記修理管理サーバは、
前記修理の申込内容を示す修理申込情報の入力を受け付ける修理申込情報入力部と、
入力された前記修理申込情報を前記配電設計支援装置に送信する修理申込情報送信部と、を備え、
前記支障移転管理サーバは、
前記移転の申込内容を示す移転申込情報の入力を受け付ける移転申込情報入力部と、
入力された前記移転申込情報を前記配電設計支援装置に送信する移転申込情報送信部と、を備え、
前記配電設計支援装置は、
出力装置と、
前記使用管理サーバ、前記修理申込管理サーバ、及び前記支障移転管理サーバの少なくとも何れかから、前記使用申込情報、前記修理申込情報、及び前記移転申込情報の少なくとも何れかを受信する申込情報受信部と、
受信した前記使用申込情報、前記修理申込情報、及び前記移転申込情報の少なくとも何れかを記憶する申込情報記憶部と、
前記申込情報記憶部に記憶されている前記使用申込情報、前記修理申込情報、及び前記移転申込情報の少なくとも何れかを前記出力装置に一覧出力する申込情報出力部と、を備えること、
を特徴とする配電設計支援システム。
【請求項８】
請求項７に記載の配電設計支援システムであって、
配電工事に関する工事計画情報を管理する工事管理サーバを含み、
前記工事管理サーバと前記配電設計支援装置とが通信可能に接続し、
前記工事管理サーバは、
工事計画情報の入力を受け付ける工事計画情報入力部と、
入力に応じて工事計画情報の登録を行う登録部と、
工事計画情報の登録に応じて前記配電設計支援装置に工事計画情報を送信する送信部と、を備え、
前記配電設計支援装置は、
前記工事管理サーバから送信される前記工事計画情報を受信する工事計画情報受信部と、
前記工事計画情報を記憶する工事計画情報記憶部と、
前記工事計画情報記憶部に記憶されている前記工事計画情報を前記出力装置に一覧出力する工事計画情報出力部と、
を備えること、
を特徴とする配電設計支援システム。
【請求項９】
請求項８に記載の配電設計支援システムであって、
前記配電設計支援装置は、
前記申込情報を特定する申込特定情報と、当該申込情報に対応して行われる工事の計画に関する前記工事計画情報を特定する工事計画特定情報とを対応付けて記憶する工事計画原因情報記憶部と、
前記出力装置に一覧出力された前記工事計画情報のひとつを特定する工事計画特定情報の入力を受け付ける工事計画特定情報入力部と、を備え、
前記申込情報出力部は、前記工事計画特定情報入力部に入力された前記工事計画特定情報に対応する前記申込情報を前記申込情報記憶部から取り出し、取り出した前記申込情報を前記出力装置に一覧表示すること、
を特徴とする配電設計支援システム。
【請求項１０】
配電工事に係る設計を支援するための方法であって、
ＣＰＵとメモリと出力装置とを備えるコンピュータが、
配電工事が必要となる事項に対する申込情報を管理する申込管理サーバと通信可能に接続し、
前記申込管理サーバに入力された申込情報を前記申込管理サーバから受信し、
受信した前記申込情報を前記メモリに記憶し、
前記メモリに記憶されている前記申込情報を前記出力装置に一覧出力すること、
を特徴とする配電設計支援方法。
【請求項１１】
配電工事に係る設計を支援するためのプログラムであって、
ＣＰＵとメモリと出力装置とを備え、配電工事が必要となる事項に対する申込情報を管理する申込管理サーバと通信可能に接続するコンピュータに、
前記申込管理サーバに入力された申込情報を前記申込管理サーバから受信するステップと、
受信した前記申込情報を前記メモリに記憶するステップと、
前記メモリに記憶されている前記申込情報を前記出力装置に一覧出力するステップと、
を実行させるためのプログラム。
【発明の詳細な説明】
【技術分野】
【０００１】
本発明は、配電設計支援システム、配電設計支援方法、及びプログラムに関する。
【背景技術】
【０００２】
電力供給サービスの開始時や配電設備の修理の際には、配電工事に関する設計が行われる。電力供給サービスの申込や配電設備の修理に関する情報が印刷された紙の伝票が回付され、設計者は回付された紙の伝票を受領して設計を行い、設計書の作成時に必要な伝票の情報については、紙の伝票に記載されている事項を参照しながら、必要に応じてデータの再入力を行っていた。
【特許文献１】特開平１１−７９３６２号公報
【発明の開示】
【発明が解決しようとする課題】
【０００３】
しかしながら、紙の帳票が回付されたときに設計が行われるため、紙の帳票が人手で回付されている間は設計が開始されず、サービスや修理が申し込まれてから設計が開始されるまでに時間がかかっていた。また、設計書に記述するべき伝票記載事項は、他のシステムにおいて入力されているデータであるにもかかわらず、設計者が紙の伝票を参照して再度入力するという２重の手間がかかっていた。
【０００４】
本発明は、このような背景を鑑みてなされたものであり、２重入力の手間を低減することができる配電設計支援システム、配電設計支援方法、及びプログラムを提供することを目的とする。
【課題を解決するための手段】
【０００５】
上記課題を解決するための本発明のうち請求項１に記載の発明は、配電工事に係る設計を支援するシステムであって、配電工事が必要となる事項に対する申込情報を管理する申込管理サーバと通信可能に接続し、出力装置と、前記申込管理サーバに入力された申込情報を前記申込管理サーバから受信する申込情報受信部と、受信した前記申込情報を記憶する申込情報記憶部と、前記申込情報記憶部に記憶されている前記申込情報を前記出力装置に一覧出力する申込情報出力部と、を備えることとする。  
本発明の配電設計支援システムによれば、申込管理サーバに入力された申込情報を、配電設計支援システムの出力装置から一覧出力することができる。したがって、配電工事に係る設計を行う設計者は、申込管理サーバに既に入力されている情報を、再度入力することなく容易に閲覧することができる。よって、設計者は効率的に業務を遂行する事が可能となる。
【０００６】
また、本発明のうち請求項２に記載の発明は、請求項１に記載の配電設計支援システムであって、前記配電工事が必要となる事項には、新規配電設備の設置、配電設備の増設、配電設備の修理、支障移転の少なくとも何れかを含むこととする。
【０００７】
また、本発明のうち請求項３に記載の発明は、請求項１に記載の配電設計支援システムであって、前記申込情報を特定するための申込特定情報と、前記申込管理サーバに入力された当該申込情報に対する変更とを前記申込管理サーバから受信する変更受信部と、受信した前記申込特定情報により特定される前記申込情報を、受信した前記変更に応じて更新する申込情報更新部と、を備えることとする。
【０００８】
また、本発明のうち請求項４に記載の発明は、請求項１に記載の配電設計支援システムであって、前記申込情報に対応して行われる配電工事の計画に関する工事計画情報を管理する工事管理サーバと通信可能に接続し、前記工事管理サーバに入力された工事計画情報を前記工事管理サーバから受信する工事計画情報受信部と、受信した前記工事計画情報を記憶する工事計画情報記憶部と、前記工事計画情報記憶部に記憶されている前記工事計画情報を前記出力装置に一覧出力する工事計画情報出力部と、を備えることとする。
【０００９】
また、本発明のうち請求項５に記載の発明は、請求項４に記載の配電設計支援システムであって、前記工事計画情報を特定するための工事計画特定情報と、前記工事管理サーバに入力された当該工事計画情報に対する変更とを前記工事管理サーバから受信する工事計画変更受信部と、受信した前記工事計画特定情報により特定される前記工事計画情報を、受信した前記工事計画情報に対する変更に応じて更新する工事計画情報更新部と、を備えることとする。
【００１０】
また、本発明のうち請求項６に記載の発明は、請求項４に記載の配電設計支援システムであって、前記申込情報を特定する申込特定情報と、当該申込情報に対応して行われる工事の計画に関する前記工事計画情報を特定する工事計画特定情報とを対応付けて記憶する工事計画原因情報記憶部と、前記出力装置に一覧出力された前記工事計画情報のひとつを特定する工事計画特定情報の入力を受け付ける工事計画特定情報入力部と、を備え、前記申込情報出力部は、前記工事計画特定情報入力部に入力された前記工事計画特定情報に対応する前記申込情報を前記申込情報記憶部から取り出し、取り出した前記申込情報を前記出力装置に一覧表示することとする。
【００１１】
また、本発明のうち請求項７に記載の発明は、配電工事に係る設計を支援するシステムであって、電気の使用開始の申込を管理する使用管理サーバと、修理の申込を管理する修理管理サーバと、配電線路の移転の申込を管理する支障移転管理サーバと、電気の使用開始、修理、及び移転のうち少なくとも何れかの申込に応じて行われる配電工事に係る設計を支援する配電設計支援装置、を含んで構成され、前記修理管理サーバ、前記使用管理サーバ、及び前記支障移転管理サーバの夫々は、前記配電設計支援装置と通信可能に接続し、前記使用管理サーバは、前記電気の使用開始の申込内容を示す使用申込情報の入力を受け付ける使用申込情報入力部と、入力された前記使用申込情報を前記配電設計支援装置に送信する使用申込情報送信部と、を備え、前記修理管理サーバは、前記修理の申込内容を示す修理申込情報の入力を受け付ける修理申込情報入力部と、入力された前記修理申込情報を前記配電設計支援装置に送信する修理申込情報送信部と、を備え、前記支障移転管理サーバは、前記移転の申込内容を示す移転申込情報の入力を受け付ける移転申込情報入力部と、入力された前記移転申込情報を前記配電設計支援装置に送信する移転申込情報送信部と、を備え、前記配電設計支援装置は、出力装置と、前記使用管理サーバ、前記修理申込管理サーバ、及び前記支障移転管理サーバの少なくとも何れかから、前記使用申込情報、前記修理申込情報、及び前記移転申込情報の少なくとも何れかを受信する申込情報受信部と、受信した前記使用申込情報、前記修理申込情報、及び前記移転申込情報の少なくとも何れかを記憶する申込情報記憶部と、前記申込情報記憶部に記憶されている前記使用申込情報、前記修理申込情報、及び前記移転申込情報の少なくとも何れかを前記出力装置に一覧出力する申込情報出力部と、を備えることとする。
【００１２】
また、本発明のうち請求項８に記載の発明は、請求項７に記載の配電設計支援システムであって、配電工事に関する工事計画情報を管理する工事管理サーバを含み、前記工事管理サーバと前記配電設計支援装置とが通信可能に接続し、前記工事管理サーバは、工事計画情報の入力を受け付ける工事計画情報入力部と、入力に応じて工事計画情報の登録を行う登録部と、工事計画情報の登録に応じて前記配電設計支援装置に工事計画情報を送信する送信部と、を備え、前記配電設計支援装置は、前記工事管理サーバから送信される前記工事計画情報を受信する工事計画情報受信部と、前記工事計画情報を記憶する工事計画情報記憶部と、前記工事計画情報記憶部に記憶されている前記工事計画情報を前記出力装置に一覧出力する工事計画情報出力部と、を備えることとする。
【００１３】
また、本発明のうち請求項９に記載の発明は、請求項８に記載の配電設計支援システムであって、前記配電設計支援装置は、前記申込情報を特定する申込特定情報と、当該申込情報に対応して行われる工事の計画に関する前記工事計画情報を特定する工事計画特定情報とを対応付けて記憶する工事計画原因情報記憶部と、前記出力装置に一覧出力された前記工事計画情報のひとつを特定する工事計画特定情報の入力を受け付ける工事計画特定情報入力部と、を備え、前記申込情報出力部は、前記工事計画特定情報入力部に入力された前記工事計画特定情報に対応する前記申込情報を前記申込情報記憶部から取り出し、取り出した前記申込情報を前記出力装置に一覧表示することとする。
【００１４】
また、本発明のうち請求項１０に記載の発明は、配電工事に係る設計を支援するための方法であって、ＣＰＵとメモリと出力装置とを備えるコンピュータが、配電工事が必要となる事項に対する申込情報を管理する申込管理サーバと通信可能に接続し、前記申込管理サーバに入力された申込情報を前記申込管理サーバから受信し、受信した前記申込情報を前記メモリに記憶し、前記メモリに記憶されている前記申込情報を前記出力装置に一覧出力することとする。
【００１５】
また、本発明のうち請求項１１に記載の発明は、配電工事に係る設計を支援するためのプログラムであって、ＣＰＵとメモリと出力装置とを備え、配電工事が必要となる事項に対する申込情報を管理する申込管理サーバと通信可能に接続するコンピュータに、前記申込管理サーバに入力された申込情報を前記申込管理サーバから受信するステップと、受信した前記申込情報を前記メモリに記憶するステップと、前記メモリに記憶されている前記申込情報を前記出力装置に一覧出力するステップと、を実行させることとする。
【発明の効果】
【００１６】
本発明によれば、２重入力の手間を軽減することができるようにする。
【発明を実施するための最良の形態】
【００１７】
＝＝＝システム構成＝＝＝  
図１は、本実施形態に係る配電設計支援システムの全体構成を示す図である。図１に示すように、配電設計支援システムは、新増設工事システム１０、修理票管理システム２０、支障移転補償システム３０、工事管理システム４０、配電地図情報システム５０を含んで構成されている。新増設工事システム１０、修理票管理システム２０、支障移転補償システム３０、工事管理システム４０のそれぞれは、通信ネットワーク６０を介して配電地図情報システム５０に接続している。通信ネットワーク６０は、例えば、ＬＡＮ（Local Area Network）やインターネット、公衆電話回線、ＡＴＭ（Asynchronous Transfer Mode）、フレームリレーなどを用いて構築される。
【００１８】
新増設工事システム１０は、電力会社による電力供給サービスに対する申込に関する申込情報や、電力供給サービスの提供必要となる配電設備の新設や増設に関する情報などを管理するシステムである。修理票管理システム２０は、電力会社が有する配電設備の不良を発見した場合などに、その配電設備の不良内容などを出力した帳票（以下、「修理票」という。）の内容（以下、「修理票情報」という。）を管理するシステムである。支障移転補償システム３０は、例えば、建造物や道路などの工事に際してその工事の支障となる電信柱等の配電線路の移転に関する情報（以下、「支障移転情報」という。）を管理するシステムである。工事管理システム４０は、配電工事に係る工程や停電の日時などの、工事に関する情報（以下、「工事管理情報」という。）を管理するシステムである。
【００１９】
配電地図情報システム５０は、地図情報を表示しながら配電工事に係る設計を行うためのシステムである。本実施形態の配電地図情報システム５０は、新増設工事システム１０、修理票管理システム２０、支障移転補償システム３０、及び工事管理システム４０のそれぞれから、申込情報や修理票情報、支障移転情報、工事管理情報などを受信して、データベースに記憶し、設計者からの指示に応じてこれらの情報を帳票として出力する。
【００２０】
新増設工事システム１０、修理票管理システム２０、支障移転補償システム３０、工事管理システム４０、配電地図情報システム５０のそれぞれは、１台以上のコンピュータによって構成される。上記各システムに用いられるコンピュータとしては、例えば、パーソナルコンピュータやワークステーション、メインフレームなどを用いる事ができる。
【００２１】
図２に、新増設工事システム１０、修理票管理システム２０、支障移転補償システム３０、工事管理システム４０、及び配電地図情報システム５０に用いられる、典型的なコンピュータのハードウェア構成例を示す図である。図２に示すように、上記コンピュータは、ＣＰＵ１０１、メモリ１０２、記憶装置１０３、記録媒体読取装置１０４、通信インタフェース１０５、入力装置１０６、出力装置１０７を備えている。
【００２２】
記憶装置１０３は、プログラムやデータを記憶する装置である。記憶装置１０３に読み出す。記憶装置１０３としては、例えば、ハードディスクなどを用いることができる。記憶媒体読取装置１０４は、記録媒体１０８に記録されているプログラムやデータを読み取るための装置である。記録媒体１０８としては、例えば、ＣＤ−ＲＯＭやＤＶＤ−ＲＯＭ、ＭＯ、フロッピーディスク、磁気テープなどを用いることができ、記録媒体読取装置１０４としては、例えば、ＣＤ−ＲＯＭドライブやＤＶＤ−ＲＯＭドライブ、ＭＯドライブ、フロッピーディスクドライブ、磁気テープドライブなどを用いることができる。記録媒体読取装置１０４によって読み取られたプログラムやデータは記憶装置１０３に記憶される。ＣＰＵ１０１は、記憶装置１０３に記憶されているプログラムをメモリ１０２に読み出して実行することにより各種の機能を実現する。通信インタフェース１０５は、通信ネットワーク６０に接続するためのインタフェースである。通信インタフェース１０５としては、例えば、イーサネット（登録商標）アダプタや、電話回線に接続するモデム、ＡＴＭインタフェースなどを用いることができる。入力装置１０６は、利用者からデータの入力を受け付ける装置である。入力装置１０６としては、例えば、キーボードやマウス、ペンタブレット、タッチパネル、マイクなどを用いることができる。出力装置１０７は、データを出力する装置である。出力装置１０７としては、例えば、ディスプレイやプリンタ、スピーカなどを用いることができる。
【００２３】
＝＝＝新増設工事システム１０＝＝＝  
図３は、新増設工事システム１０が備える機能の一部を示す機能ブロック図である。図３に示すように、新増設工事システム１０は、供給申込情報入力部１１１、異動負荷情報入力部１１２、供給申込連携要求送信部１１３、竣工予定日入力部１１４、竣工予定日変更要求送信部１１５、供給申込情報データベース１５１、異動負荷情報データベース１５２を備えている。
【００２４】
供給申込情報データベース１５１には、電力供給サービスの申込情報と、配電設備の新設や増設に関する情報とを含む情報（以下、「供給申込情報」という。）が記憶される。供給申込情報は、配電工事に係る配電設備の新設又は増設に対する申込にも使用することができる。図４に供給申込情報データベース１５１に記憶される供給申込情報の構成例を示す。図４に示すように、供給申込情報には、申込を受け付けた受付番号、申込を受け付けた営業所、申込の受付年度、契約番号、申し込まれた顧客の名称（お客様名）、住所、電話番号、申込種別、負荷設備情報、屋内線の工事会社、引込線の工事会社、計器の工事会社、引込柱の番号、線路コード、分岐など、電力の供給方式、契約電力の容量、工事の年月日、工費などが含まれる。ここで、負荷設備情報とは、上記電力供給サービスの対象となる電力を消費する設備（以下、「負荷設備」という。）に関する情報である。図５に、電灯などに用いる一般的な負荷設備に関する負荷設備情報の一例を示す。図５に示すように、一般的な負荷設備情報には、設備の名称、設備の機種コード、電気容量、設備の数などが含まれる。なお、負荷設備情報は、電力の供給先となる設備の種類によって異なる。例えば、電力の供給先が街灯などの設備である場合には、街灯を識別する街灯番号や、街灯が公衆街路灯であるか農事用街路灯であるかといった種類などが含まれ、その他の電力負荷である場合には、その用途や総電力容量などが含まれる。
【００２５】
供給申込情報入力部１１１は、例えば、図６に示すような画面７１を介して、上記申込情報の入力を受け付ける。図６に示すように、画面７１では、電力の供給サービスの契約番号、サービスの提供先となる顧客の住所や名称、工事の日付、工事を行う工事店の名称や担当者などを入力することができるようになっている。画面７１の登録ボタン７１１が押下されると、供給申込情報入力部１１１は、入力された各種の情報を設定した供給申込情報を、供給申込情報データベース１５１に記憶する。また、ここで画面７１に表示されている外線の工事が必要であるかどうかを指定するチェックボックス７１２にチェックがされている場合には、後述するように、供給申込情報は配電地図情報システム５０に送信される。
【００２６】
異動負荷情報データベース１５２には、電力の供給サービスに係る、電力を消費する負荷に関する情報（以下、「異動負荷情報」という。）が記憶される。図７に、異動負荷情報データベース１５２に記憶される異動負荷情報の構成例を示す。図７に示すように、異動負荷情報には、申込の受付番号、申込を受け付けた営業所、受付年度、電力供給サービスの契約番号、契約容量、負荷の口数、冷房用に用いられる電力の容量、暖房用に用いられる電力の容量、温水器の口数などが含まれる。
【００２７】
異動負荷情報入力部１１２は、例えば、図８に示すような画面７２を介して、上記異動負荷情報の入力を受け付ける。異動負荷情報入力部１１２は、受付番号などの入力を受け付けて供給申込情報データベース１５１から供給申込情報を取得し、取得した供給申込情報を画面７２の供給申込情報の表示欄７２１に表示する。また、画面７２には異動負荷情報の各項目が入力可能になっており、画面７２の「登録」ボタン７２２又は「オンライン設計連絡」ボタン７２３が押下された場合には、異動負荷情報入力部１１２は、入力された情報を設定した異動負荷情報を異動負荷情報データベース１５２に登録する。また、外線の工事が必要であるかどうかを指定する「要外線工事」チェックボックス７２４にチェックがされている場合には、後述する様に、異動負荷情報は、配電地図情報システム５０に送信される。
【００２８】
供給申込連携要求送信部１１３は、供給申込情報又は異動負荷情報の登録、更新、又は削除の操作を行うように指示するコマンド（以下、「供給申込連携要求」という。）を、外線の工事に係る設計を行う配電地図情報システム５０に送信する。図６に示した上記画面７１において、「外線工事要」チェックボックス７１２にチェックがされた状態で「登録」ボタン７１１が押された場合、供給申込連携要求送信部１１３は、供給申込情報を登録する指示と、上記の供給申込情報とを設定した供給申込連携要求を配電地図情報システム５０に送信する。また、図８に示した上記画面７２において、「要外線工事」チェックボックス７２４にチェックがされた状態で「登録」ボタン７２２が押下された場合、供給申込連携要求送信部１１３は、異動負荷情報を登録する指示と、上記の供給申込情報及び異動負荷情報とを設定した供給申込連携要求を配電地図情報システム５０に送信する。また、「オンライン設計連絡」ボタン７２３が押された場合には、「要外線工事」チェックボックス７２４の状態に関わらず、供給申込連携要求が配電地図情報システム５０に送信される。
【００２９】
なお、図６に示した画面７１及び図８に示した画面７２は、既にデータベースに登録されている情報を編集するときにも用いることができる。この場合、供給申込情報入力部１１１又は異動負荷情報入力部１１２は、供給申込情報データベース１５１又は異動負荷情報データベース１５２から読み出した情報に基づいて、画面７１又は画面７２の各項目を予め設定しておく。ここで、画面７１の「外線工事要」チェックボックス７１２又は画面７２の「要外線工事」チェックボックス７２４のチェックが外された場合には、供給申込連携要求送信部１１３は、供給申込情報又は異動負荷情報を削除する指示と、受付番号とを指定した供給申込連携要求を配電地図情報システム５０に送信する。
【００３０】
竣工予定日入力部１１４は、申込に係る工事の竣工予定日を変更する際に、その予定日の入力を受け付ける。竣工予定日入力部１１４は、供給申込情報データベース１５１に登録されている供給申込情報の工事日を、入力された竣工予定日に更新する。  
竣工予定日変更要求送信部１１５は、電力供給サービスの申込に係る工事の竣工予定日を変更するように指示するコマンド（以下、「竣工予定日変更要求」という。）を配電地図情報システム５０に送信する。竣工予定日変更要求には、供給申込情報の受付番号と、竣工予定日入力部１１４に入力された予定日とが設定される。
【００３１】
なお、上記各機能部１１１〜１１５は、新増設工事システム１０として用いられているコンピュータのＣＰＵ１０１が記憶装置１０３に記憶されているプログラムをメモリ１０２に読み出して実行することにより実現される。また、上記供給申込情報データベース１５１及び異動負荷情報１５２は、新増設工事システム１０として用いられているコンピュータのメモリ１０２又は記憶装置１０３により提供される記憶領域に構築される。
【００３２】
＝＝＝修理票管理システム２０＝＝＝  
図９は、修理票管理システム２０が備える機能の一部を示す機能ブロック図である。図９に示すように、修理票管理システム２０は、修理票情報入力部２１１、修理票連携要求送信部２１２、供給申込連携通知受信部２１３、修理票情報データベース２５１を備えている。
【００３３】
修理票情報データベース２５１には、配電設備の不良内容などの修理票情報が記憶される。図１０は、修理票データベース２５１に記憶される修理票情報の構成例を示す図である。図１０に示すように、修理票情報には、修理票を識別する修理票番号、事業場コード、電柱番号、工事の希望日、工事を行う原因となる申込などの帳票（以下、「原票」という。）の種類や番号（原票番号）、緩急度、作業内容、線路コード、幹線番号、修理の説明、設備の区分、不良設備の状態、改修の方法、不良状態を点検した日などが含まれる。本実施形態において、原票番号には、上述した供給申込情報の受付番号、修理票情報の修理票番号、又は後述する支障移転情報の受付番号が用いられる。
【００３４】
修理票情報入力部２１１は、例えば、図１１に示すような画面７３を介して修理票情報に含まれる各項目の入力を受け付ける。画面７３の各入力欄に修理票情報が入力され、「登録」ボタンが押下されると、修理票情報入力部２１１は、入力された情報を設定した修理票情報を修理票情報データベース２５１に登録する。
【００３５】
修理票連携要求送信部２１２は、修理票情報の登録、更新、又は削除の操作を行うように指示するコマンド（以下、「修理票連携要求」という。）を配電地図情報システム５０に送信する。図１１に示した上記画面７３の「登録」ボタン７３１が押下されると、修理票連携要求送信部２１２は、修理票情報を登録する指示と、上記修理票情報とを設定した修理票連携要求を配電地図情報システム５０に送信する。また、「修理票削除」ボタン７３２が押下された場合には、修理票情報を削除する指示と、修理票情報の修理票番号とを設定した修理票連携要求を配電地図情報システム５０に送信する。
【００３６】
なお、修理票情報入力部２１１は、既に修理票情報データベース２５１に登録されている修理票情報を読み出し、読み出した修理票情報に基づいて各項目に情報を設定した状態で画面７３を表示し、既存の修理票情報を修正できるようにしてもよい。
【００３７】
供給申込連携通知受信部２１３は、修理に関連する電力供給サービスの申込に係る、後述の配電地図情報システム５０のデータベースに記憶されている供給申込情報が登録、更新、又は削除された旨を示すメッセージ（以下、「供給申込連携通知」という。）を配電地図情報システム５０から受信する。受信した供給申込連携通知が、供給申込情報の登録又は更新を示すメッセージであった場合には、供給申込連携通知受信部２１３は、受信した供給申込連携通知に設定されている供給申込情報に基づいて、修理票情報データベース２５１に登録されている修理票情報を更新する。また、受信した供給申込連携通知が供給申込情報の削除を示すメッセージであった場合には、供給申込情報連携通知受信部２１３は、供給申込連携通知に設定されている供給申込情報の受付番号が、原因帳票番号として設定されている修理票情報を修理票情報データベース２５１から削除する。
【００３８】
なお、上記各機能部２１１〜２１３は、修理票管理システム２０として用いられているコンピュータのＣＰＵ１０１が記憶装置１０３に記憶されているプログラムをメモリ１０２に読み出して実行することにより実現される。また、上記修理票情報データベース２５１は、メモリ１０２又は記憶装置１０３により提供される記憶領域に構築される。
【００３９】
＝＝＝支障移転補償システム３０＝＝＝  
図１２は、支障移転補償システム３０が備える機能の一部を示す機能ブロック図である。図１２に示すように、支障移転補償システム３０は、支障移転情報入力部３１１、支障移転連携要求送信部３１２、支障移転情報データベース３５１を備えている。
【００４０】
支障移転情報データベース３５１には、工事の支障となる電信柱等の配電線路の移転に関する支障移転情報が記憶される。図１３は、支障移転情報データベース３５１に登録される支障移転情報の構成例を示す図である。図１３に示すように、支障移転情報には、配電線路の移転の申込を受け付けたときの受付番号や受付年月、移転の希望日、有償又は無償の区分、申込者の氏名、住所、電話番号、申込の理由、支障となる場所、支障となる物件などが含まれる。
【００４１】
支障移転情報入力部３１１は、例えば、図１４に示すような画面７４を介して支障移転情報の入力を受け付ける。画面７４には、支障移転情報の処理区分７４１が表示されており、支障移転情報の「新規」作成、支障移転情報データベース３５１に登録済みの支障移転情報の「訂正」又は「削除」が選択される。処理区分７４１で「新規」が選択され、各項目に情報が入力されて、画面７４の最下段に表示される登録ボタン７４２が押下されると、支障移転情報入力部３１１は、入力された情報を設定した支障移転情報を、支障移転情報データベース３５１に登録する。処理区分７４１で「訂正」又は「削除」が選択され、受付番号入力欄７４３に受付番号が入力されて、検索ボタン７４４が押下されると、支障移転情報入力部３１１は、支障移転情報データベース３５１にアクセスして、受付番号をキーとして支障移転情報を検索する。支障移転情報入力部３１１は、検索した支障移転情報の各項目を、画面７４の各入力欄に設定する。ここで登録ボタン７４２が押下された場合には、支障移転情報入力部３１１は、支障移転情報データベース３５１に登録されている支障移転情報を入力された情報で更新する。また、削除ボタン７４５が押下された場合には、支障移転情報入力部３１１は、支障移転情報データベース３５１から該当する支障移転情報を削除する。
【００４２】
支障移転連携要求送信部３１２は、支障移転情報の登録、更新、又は削除の操作を行うように指示するコマンド（以下、「支障移転連携要求」という。）を配電地図情報システム５０に送信する。上記の画面７４において、処理区分７４１で「新規」が選択されて登録ボタン７４２が押下された場合、支障移転連携要求送信部３１２は、支障移転情報を登録する指示と、入力された情報を設定した上記の支障移転情報とを設定した支障移転連携要求を、配電地図情報システム５０に送信する。処理区分７４１で「訂正」が選択されて登録ボタン７４２が押下された場合、支障移転連携要求送信部３１２は、支障移転情報を更新する指示と、入力された情報を設定した上記の支障移転情報とを設定した支障移転連携要求を、配電地図情報システム５０に送信する。また、画面７４で削除ボタン７４５が押下された場合には、支障移転連携要求送信部３１２は、支障移転情報を削除する指示と、受付番号とを設定した支障移転連携要求を配電地図情報システム５０に送信する。
【００４３】
なお、上記支障移転情報入力部３１１及び支障移転連携要求送信部３１２は、支障移転補償システム３０として用いられているコンピュータのＣＰＵ１０１が記憶装置１０３に記憶されているプログラムをメモリ１０２に読み出して実行することにより実現される。また、上記指定移転情報データベース３５１は、支障移転補償システム３０として用いられているコンピュータのメモリ１０２又は記憶装置１０３により提供される記憶領域に構築される。
【００４４】
＝＝＝工事管理システム４０＝＝＝  
図１５は、工事管理システム４０が備える機能の一部を示す機能ブロック図である。図１５に示すように、工事管理システム４０は、工事管理情報入力部４１１、工事管理連携要求送信部４１２、供給申込連携通知受信部４１３、工事管理情報データベース４５１を備えている。
【００４５】
工事管理情報データベース４５１には工事管理情報が記憶される。図１６に工事管理情報データベース４５１に登録される工事管理情報の構成例を示す。図１６に示すように、工事管理情報には、工事毎に割り当てられる件名番号、この工事の原因帳票の識別情報（原票番号）、事業場、工事種別、営業所、提供している電力の区分、停電が行われる年月日、作業内容などが含まれている。
【００４６】
工事管理情報入力部４１１は、例えば、図１７に示すような画面７５を介して工事管理情報の入力を受け付ける。画面７５の各項目が入力され、登録ボタン７５１が押下されると、工事管理情報入力部４１１は、入力された情報を設定した工事管理情報を、工事管理情報データベース４５１に登録する。また、件名番号の入力欄７５２に件名番号が入力されて、検索ボタン７５３が押下された場合には、工事管理情報入力部４１１は、入力された件名番号に対応する工事管理情報を工事管理情報データベース４５１から取得し、取得した工事管理情報の各項目を、対応する画面７５の入力欄に設定する。画面７５の件名番号７５２に件名番号が入力されて、削除ボタン７５４が押下された場合には、工事管理情報入力部４１１は、入力された件名番号に対応する工事管理情報を工事管理情報データベース４５１から削除する。
【００４７】
工事管理連携要求送信部４１２は、工事管理情報の登録、更新、又は削除の操作を行うように指示するコマンド（以下、「工事管理連携要求」という。）を配電地図情報システム５０に送信する。上記の画面７５において、各項目が入力されて登録ボタン７５１が押下された場合、工事管理連携要求送信部４１２は、工事管理情報を登録する指示と、入力された各項目を含む工事管理情報とを設定した工事管理連携要求を配電地図情報システム５０に送信する。
【００４８】
供給申込連携通知受信部４１３は、工事に関連する、後述の配電地図情報システム５０のデータベースに記憶されている供給申込情報についての供給申込連携通知を配電地図情報システム５０から受信する。受信した供給申込連携通知が、供給申込情報の登録又は更新を示すメッセージであった場合には、供給申込連携通知受信部４１３は、受信した供給申込連携通知に設定されている供給申込情報に基づいて、工事管理情報データベース４５１を更新する。また、受信した供給申込連携通知が供給申込情報の削除を示すメッセージであった場合には、供給申込連携通知受信部４１３は、供給申込連携通知に設定されている供給申込情報の受付番号が、原票番号として設定されている工事管理情報を、工事管理情報データベース４５１から削除する。
【００４９】
なお、上記各機能部４１１〜４１３は、工事管理システム４０として用いられているコンピュータのＣＰＵ１０１が記憶装置１０３に記憶されているプログラムをメモリ１０２に読み出して実行することにより実現される。また、上記工事管理情報データベース４５１は、工事管理システム４０として用いられているコンピュータのメモリ１０２又は記憶装置１０３により提供される記憶領域に構築される。
【００５０】
＝＝＝配電地図情報システム５０＝＝＝
図１８は、配電地図情報システム５０の主な機能を示す機能ブロック図である。図１８に示すように、配電地図情報システム５０は、設計処理部５１１、供給申込連携要求受信部５１２、竣工予定日変更要求受信部５１３、供給申込連携通知送信部５１４、異動負荷連携要求受信部５１５、修理票連携要求受信部５１６、支障移転連携要求受信部５１７、工事管理連携要求受信部５１８、原因帳票一覧表示部５１９、帳票指定入力部５２０、帳票詳細表示部５２１、供給申込情報データベース５５１、異動負荷情報データベース５５２、修理票情報データベース５５３、支障移転情報データベース５５４、工事管理情報データベース５５５を備えている。
【００５１】
供給申込情報データベース５５１（本発明の「申込情報記憶部」に該当する。）及び異動負荷情報データベース５５２は、上述した新増設工事システム１０の供給申込情報データベース１５１および異動負荷情報データベース１５２と同様の構成である。修理票情報データベース５５３は、上述した修理票管理システム２０の修理票情報データベース２５１と同様の構成である。支障移転情報データベース５５４は、上述した支障移転補償システム３０の支障移転情報データベース３５１と同様の構成である。工事管理情報データベース５５５は、上述した工事管理システム４０の工事管理情報データベース４５１と同様の構成である。
【００５２】
設計処理部５１１は、配電工事に係る設計に関する処理を行う。設計処理部５１１は、例えば、配電工事が行われる地域の地図を表示し、設計者からの入力に応じて電柱や線路などの配電設備を地図上に配置することなど、一般的な配電設備の設計に関する処理を行う。
【００５３】
供給申込連携要求受信部５１２（本発明の「申込情報受信部」に該当する。）は、新増設工事システム１０から送信される供給申込連携要求を受信する。供給申込連携要求受信部５１２は、受信した供給申込連携要求に設定されている指示に応じて、供給申込データベース５５１に対する供給申込情報の登録、更新、又は削除を行う。
【００５４】
竣工予定日変更要求受信部５１３は、新増設工事システム１０から送信される竣工予定日変更要求を受信し、供給申込情報データベース５５１に設定されている供給申込情報の工事日を、受信した竣工予定日変更要求に設定されている日付に更新する。
【００５５】
供給申込連携通知送信部５１４は、上記供給申込連携要求受信部５１２によって供給申込情報が登録、更新、又は削除がなされた場合、あるいは上記竣工予定日変更要求受信部５１３によって供給申込情報が更新された場合に、修理票管理システム２０及び工事管理システム４０に供給申込連携通知を送信する。供給申込連携通知には、登録、更新、又は削除の対象となった供給申込情報が設定される。
【００５６】
異動負荷連携要求受信部５１５は、新増設工事システム１０から送信される異動負荷連携要求を受信する。異動負荷連携要求受信部５１５は、受信した異動負荷連携要求に設定されている指示に応じて、異動負荷情報データベース５５２に対して異動負荷情報の登録、更新、又は削除を行う。
【００５７】
修理票連携要求受信部５１６は、修理票管理システム２０から送信される修理票連携要求を受信する。修理票連携要求受信部５１６は、受信した修理票連携要求に設定されている指示に応じて、修理票情報データベース５５３に対する修理票情報の登録、更新、又は削除を行う。
【００５８】
支障移転連携要求受信部５１７は、支障移転補償システム３０から送信される支障移転連携要求を受信する。支障移転連携要求５１７は、受信した支障移転連携要求に設定されている指示に応じて、支障移転情報データベース５５４に対する支障移転情報の登録、更新、又は削除を行う。
【００５９】
工事管理連携要求受信部５１８は、工事管理システム４０から送信される工事管理連携要求を受信する。工事管理連携要求受信部５１８は、受信した工事管理連携要求に設定されている指示に応じて、工事管理情報データベース５５５に対する工事管理情報の登録、更新、又は削除を行う。
【００６０】
原因帳票一覧表示部５１９（本発明の「申込情報出力部」に該当する。）は、設計対象となる配電工事の原因となった電力供給の申込、異動負荷情報の登録、変更、修理の申込、支障移転の申込などに係る各種の原因帳票の一覧を表示する。原因帳票一覧表示部５１９は、供給申込情報データベース５５１に登録されている供給申込情報、異動負荷情報データベース５５２に登録されている異動負荷情報、修理票データベース５５３に登録されている修理票情報、支障移転情報データベース５５４に登録されている支障移転情報、及び工事管理情報データベース５５５に登録されている工事管理情報のそれぞれについて、出力装置１０７に一覧出力する。図１９は、原因帳票一覧表示部５１９によって原因帳票の一覧が表示された画面７６の一例である。図１９に示す画面７６は、供給申込情報の一覧を表示するためのタブ７５１が選択された状態を示している。図１９は、供給申込情報の概要を表示する表示欄７５２に、供給情報の受付番号やお客様の住所、引込柱番号などが表示された例である。原因帳票一覧表示部５１９は、タブ７５３が選択された場合には異動負荷情報の一覧を、タブ７５４が選択された場合には修理票情報の一覧を、タブ７５５が選択された場合には支障移転情報の一覧を、タブ７５５が選択された場合には支障移転情報の一覧を、タブ７５６が選択された場合には工事管理情報の一覧を、それぞれ画面７５に表示する。なお、上記図１９の例では、出力装置１０７がディスプレイなどの表示装置である場合に出力される画面の例を示したが、原因帳票の一覧は、プリンタなどで印刷するようにすることもできる。
【００６１】
帳票指定入力部５２０は、設計者から、原因帳票一覧表示部５１９により表示された原因帳票のひとつの指定を受け付ける。帳票指定部５２０は、例えば、図１９に示した上記画面７５における供給申込情報の表示欄７５２をマウスなどのポインティングデバイスでクリックされた場合に、その供給申込情報の受付番号の入力を受け付けることで、原因帳票の指定を受け付ける。
【００６２】
帳票詳細表示部５２１は、帳票指定入力部５２０によって指定された原因帳票に対応する、供給申込情報、異動負荷情報、修理表情報、支障移転情報、又は工事管理情報を、上記の各データベース５５１〜５５５のいずれかから読み出して表示する。例えば、上記画面７５の表示欄７５２がクリックされた場合、帳票詳細表示部５２１は、図２０に示すような画面７６に供給申込情報の内容を表示する。
【００６３】
なお、上記各機能部５１１〜５２１は、配電地図情報システム５０として用いられているコンピュータのＣＰＵ１０１が記憶装置１０３に記憶されているプログラムをメモリ１０２に読み出して実行することにより実現される。また、上記各データベース５５２〜５５５は、配電地図情報システム５０として用いられているコンピュータのメモリ１０２又は記憶装置１０３により提供される記憶領域に構築される。
【００６４】
図２１は、上述した各システム１０〜５０間でのデータのやりとりを説明するための図である。  
新増設工事システム１０が、供給申込連携要求を配電地図情報システム５０に送信すると（Ｓ８０１）、配電地図情報システム５０では、受信した供給申込連携要求に応じて、供給申込情報データベース５５１に対する供給申込情報の登録、更新、又は削除が行われる（Ｓ８０２）。また、新増設工事システム１０から配電地図情報システム５０に竣工予定日変更要求が送信された場合には（Ｓ８０３）、配電地図情報システム５０は、供給申込情報データベース５５１に記憶されている供給申込情報、修理票情報データベース５５３に記憶されている修理票情報、及び工事管理情報データベース５５５に記憶されている工事管理情報のそれぞれを更新する（Ｓ８０４）。
【００６５】
供給申込連携要求又は竣工予定日変更要求に応じて、供給申込情報データベース５５１に対する供給申込情報の登録、更新、又は削除が行われると、配電地図情報システム５０は、供給申込連携通知を工事管理システム４０に送信する（Ｓ８０５）。また、この供給申込連携通知は、修理票管理システム２０にも送信される（Ｓ８０６）。工事管理システム４０では、受信した供給申込連携通知に応じて、工事管理システム４０の工事管理情報データベース４５１に記憶されている工事管理情報の更新が行われる（Ｓ８０７）。また、修理票管理システム２０においても、受信した供給申込連携通知に応じて、修理票管理システム２０の修理票情報データベース２５１に記憶されている修理票情報の更新が行われる（Ｓ８０８）。
【００６６】
一方、新増設工事システム１０から異動負荷連携要求が配電地図情報システム５０に送信されると（Ｓ８０９）、配電地図情報システム５０では、受信した異動負荷連携要求に応じて、異動負荷情報データベース５５２に対する異動負荷情報の登録、更新、又は削除が行われる（Ｓ８１０）。
【００６７】
修理票管理システム２０から修理票連携要求が配電地図情報システム５０に送信されると（Ｓ８１１）、配電地図情報システム５０では、受信した修理票連携要求に応じて、修理票情報データベース５５３に対する修理票情報の登録、更新、又は削除が行われる（Ｓ８１２）。
【００６８】
支障移転保証システム３０から支障移転連携要求が配電地図情報システム５０に送信されると（Ｓ８１３）、配電地図情報システム５０では、受信した支障移転連携要求に応じて、支障移転情報データベース５５４に対する支障移転情報の登録、更新、又は削除が行われる（Ｓ８１４）。  
工事管理システム４０から工事管理連携要求が配電地図情報システム５０に送信されると（Ｓ８１５）、配電地図情報システム５０では、工事管理情報データベース５５５に対する工事管理情報の登録、更新、又は削除が行われる（Ｓ８１６）。
【００６９】
なお、上記の（Ｓ８０１）、（Ｓ８０３）、（Ｓ８０９）、（Ｓ８１１）、（Ｓ８１３）、及び（Ｓ８１５）のそれぞれにおけるコマンドの送信は、図２１に示す順番にかかわらず非同期に行われる。また、（Ｓ８０３）における竣工予定日変更要求に応じて、配電地図情報システム５０から送信される（Ｓ８０５）における供給申込連携通知と、（Ｓ８０６）における供給申込連携通知とについても、図２１に示す順番にかかわらず非同期に工事管理システム４０及び修理票管理システム２０のそれぞれに送信される。
【００７０】
以上説明したように、本実施形態の配電設計支援システムでは、新増設工事システム１０に入力された供給申込情報及び異動負荷情報、修理票管理システム２０に入力された修理票情報、支障移転補償システム３０に入力された支障移転情報、工事管理システム４０に入力された工事管理情報のそれぞれが、配電地図情報システム５０に送信され、配電地図情報システム５０の各データベース５５１〜５５５に登録される。したがって、各システムに登録されている情報を再度入力するという２重の手間を軽減することができる。また、設計者は、その設計対象となる工事に関する情報や、その工事の関する原因帳票を容易に閲覧することができるため、確実にかつ効率よく業務を進めることができる。
【００７１】
なお、本実施形態では、配電設計支援システムに含まれている各システム１０〜５０は１台以上のコンピュータによって構成されるものとしたが、上記のシステム１０〜５０のうちの複数のシステムを１台のコンピュータで実現するようにすることもできる。この場合、１台のコンピュータにおいてＣＰＵ１０１が記憶装置１０３に記憶されている複数のプログラムをメモリ１０２に読み出して実行することにより、複数の上記システム１０〜５０の各種機能が実現される。
【００７２】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【図面の簡単な説明】
【００７３】
【図１】本実施形態に係る配電設計支援システムの全体構成を示す図である。
【図２】本発明の一実施の形態による、新増設工事システム１０、修理票管理システム２０、支障移転補償システム３０、工事管理システム４０、及び配電地図情報システム５０に用いられる、典型的なコンピュータのハードウェア構成例を示す図である。
【図３】本発明の一実施の形態による、新増設工事システム１０が備える機能の一部を示す機能ブロック図である。
【図４】本発明の一実施の形態による、供給申込情報データベース１５１に記憶される供給申込情報の構成例を示す図である。
【図５】本発明の一実施の形態による、電灯などに用いる一般的な負荷設備に関する負荷設備情報の一例を示す図である。
【図６】本発明の一実施の形態による、申込情報の入力を受け付けるための画面７１の一例を示す図である。
【図７】本発明の一実施の形態による、異動負荷情報データベース１５２に記憶される異動負荷情報の構成例を示す図である。
【図８】本発明の一実施の形態による、異動負荷情報の入力を受け付けるための画面７２の一例を示す図である。
【図９】本発明の一実施の形態による、修理票管理システム２０が備える機能の一部を示す機能ブロック図である。
【図１０】本発明の一実施の形態による、修理票データベース２５１に記憶される修理票情報の構成例を示す図である。
【図１１】本発明の一実施の形態による、修理票情報に含まれる各項目の入力を受け付けるための画面７３の一例を示す図である。
【図１２】本発明の一実施の形態による、支障移転補償システム３０が備える機能の一部を示す機能ブロック図である。
【図１３】本発明の一実施の形態による、支障移転情報データベース３５１に登録される支障移転情報の構成例を示す図である。
【図１４】本発明の一実施の形態による、支障移転情報の入力を受け付けるための画面７４の一例を示す図である。
【図１５】本発明の一実施の形態による、工事管理システム４０が備える機能の一部を示す機能ブロック図である。
【図１６】本発明の一実施の形態による、工事管理情報データベース４５１に登録される工事管理情報の構成例を示す図である。
【図１７】本発明の一実施の形態による、工事管理情報の入力を受け付けるための画面７５の一例を示す図である。
【図１８】本発明の一実施の形態による、配電地図情報システム５０の主な機能を示す機能ブロック図である。
【図１９】本発明の一実施の形態による、原因帳票の一覧が表示された画面７６の一例を示す図である。
【図２０】本発明の一実施の形態による、供給申込情報の内容を表示するための画面７６の一例を示す図である。
【図２１】本発明の一実施の形態による、各システム間でのデータのやりとりの流れを示す図である。
【符号の説明】
【００７４】
１０    新増設工事システム            ２０    修理票管理システム
３０    支障移転補償システム          ４０    工事管理システム
５０    配電地図情報システム          ６０    通信ネットワーク
１０１  ＣＰＵ                        １０２  メモリ
１０３  記憶装置                      １０４  記録媒体読取装置
１０５  通信インタフェース            １０６  入力装置
１０７  出力装置                      １０８  記録媒体
１１１  供給申込情報入力部            １１２  異動負荷情報入力部
１１３  供給申込連携要求送信部        １１４  竣工予定日入力部
１１５  竣工予定日変更要求送信部      １５１  供給申込情報データベース
１５２  異動負荷情報データベース
２１１  修理票情報入力部              ２１２  修理票連携要求送信部
２１３  供給申込連携通知受信部        ２５１  修理票情報データベース
３１１  支障移転情報入力部            ３１２  支障移転連携要求送信部
３５１  支障移転情報データベース
４１１  工事管理情報入力部            ４１２  工事管理連携要求送信部
４１３  供給申込連携通知受信部        ４５１  工事管理情報データベース
５１１  設計処理部                    ５１２  供給申込連携要求受信部
５１３  竣工予定日変更要求受信部      ５１４  供給申込連携通知送信部
５１５  異動負荷連携要求受信部        ５１６  修理票連携要求受信部
５１７  支障移転連携要求受信部        ５１８  工事管理連携要求受信部
５１９  原因帳票一覧表示部            ５２０  帳票指定入力部
５２１  帳票詳細表示部                ５５１  供給申込情報データベース
５５２  異動負荷情報データベース      ５５３  修理票情報データベース
５５４  支障移転情報データベース      ５５５  工事管理情報データベース
【図１】
2006155471.tif 000003
【図２】
2006155471.tif 000004
【図３】
2006155471.tif 000005
【図４】
2006155471.tif 000006
【図５】
2006155471.tif 000007
【図６】
2006155471.tif 000008
【図７】
2006155471.tif 000009
【図８】
2006155471.tif 000010
【図９】
2006155471.tif 000011
【図１０】
2006155471.tif 000012
【図１１】
2006155471.tif 000013
【図１２】
2006155471.tif 000014
【図１３】
2006155471.tif 000015
【図１４】
2006155471.tif 000016
【図１５】
2006155471.tif 000017
【図１６】
2006155471.tif 000018
【図１７】
2006155471.tif 000019
【図１８】
2006155471.tif 000020
【図１９】
2006155471.tif 000021
【図２０】
2006155471.tif 000022
【図２１】
2006155471.tif 000023